(57)【要約】      （修正有）【課題】発振子を共用する複数の無線システムが搭載された携帯電話機等の無線機に関し、何れかの無線システムによる基準周波数のずれの検出や、ＡＦＣ制御に対する他の無線システムへの影響を軽減する。【解決手段】発振子２を共有する複数の無線システム１、６を搭載する無線機に関し、発振子２の初期値設定のＡＦＣ制御は、メイン無線システム１の出力で行う。ＡＦＣ制御量の算出は、メイン無線システム１の受信ＩＱ信号を位相回転部７１で位相回転した信号を復調部７２で復調し、結果が正常時の位相回転量により算出し、算出した制御量により発振子の基準周波数を制御する。制御量がサブ無線システム６への影響がある場合、制御量を影響の出ない単位で複数回に分割して制御するか又は、当該サブ無線システムのみを停止後にＡＦＣ制御を行う。【選択図】図２
2008131480.tif 000002
【特許請求の範囲】
【請求項１】
少なくともメイン無線システムとサブ無線システムとで発振子を共有する複数の無線システムを搭載した無線機におけるＡＦＣ制御方法であって、
前記発振子により発振した基準周波数に対するＡＦＣ制御時の制御量を、メイン無線システムにおける受信ＩＱ信号の位相回転量に基づいて算出することを特徴とするＡＦＣ制御方法。
【請求項２】
前記受信ＩＱ信号を位相回転手段を介して復調し、復調出力の正常受信時の前記位相回転手段の位相回転量に基づいて前記制御量を算出することを特徴とする請求項１記載のＡＦＣ制御方法。
【請求項３】
前記位相回転手段により順次増加又は減少する離散的な位相回転を前記受信ＩＱ信号に与えて前記制御量を算出することを特徴とする請求項２記載のＡＦＣ制御方法。
【請求項４】
前記制御量によるＡＦＣ制御時に、何れかのサブ無線システムの通信に悪影響を与える場合に、前記制御量未満の単位で複数回に分割してＡＦＣ制御を行うことを特徴とする請求項１、２又は３記載のＡＦＣ制御方法。
【請求項５】
前記制御量によるＡＦＣ制御時に、何れかのサブ無線システムの通信に悪影響を与える場合に、当該サブ無線システムを停止後にＡＦＣ制御を行うことを特徴とする請求項１、２又は３記載のＡＦＣ制御方法。
【請求項６】
ＡＦＣ制御後にサブ無線システムを再起動して通信を継続させることを特徴とする請求項５記載のＡＦＣ制御方法。
【請求項７】
ＡＦＣ制御後に基準周波数の誤差を測定してメイン無線システムで基準周波数の負帰還制御を行うことを特徴とする請求項１ないし６の何れかの請求項記載のＡＦＣ制御方法。
【請求項８】
少なくともメイン無線システムとサブ無線システムとで発振子を共有する複数の無線システムを搭載した無線機であって、
メイン無線システムにおける受信ＩＱ信号の位相回転量に基づいてＡＦＣ制御用の制御量を算出する手段と、算出した制御量により前記発振子により発振した基準周波数に対するＡＦＣ制御を行う手段と、を有することを特徴とする無線機。
【請求項９】
前記制御量を算出する手段は、前記受信ＩＱ信号の位相を回転する位相回転部と、前記位相回転部の出力を復調する復調部とを備え、前記位相回転部の位相回転量と前記復調部の出力により、正常受信時の前記位相回転部の位相回転量に基づいて前記制御量を算出すること特徴とする請求項８記載の無線機。
【請求項１０】
前記制御量を算出する手段は、順次増加又は減少する離散的な位相回転を前記受信ＩＱ信号に与えて前記制御量を算出することを特徴とする請求項９記載の無線機。
【請求項１１】
前記ＡＦＣ制御を行う手段は、前記制御量によるＡＦＣ制御時に何れかのサブ無線システムの通信に悪影響を与える場合に、前記制御量未満の単位で複数回に分割してＡＦＣ制御を行うことを特徴とする請求項８、９又は１０記載の無線機。
【請求項１２】
前記制御量によるＡＦＣ制御時に何れかのサブ無線システムの通信に悪影響を与える場合に、当該サブ無線システムを停止後にＡＦＣ制御を行うことを特徴とする請求項８、９又は１０記載の無線機。
【請求項１３】
前記制御量によるＡＦＣ制御後にサブ無線システムを再起動して通信を継続させることを特徴とする請求項１２記載の無線機。
【請求項１４】
前記制御量によるＡＦＣ制御後に基準周波数の誤差を測定してメイン無線システムで行う基準周波数の負帰還制御に切り替えることを特徴とする請求項８ないし１３の何れかの請求項記載の無線機。
【請求項１５】
少なくともメイン無線システムとサブ無線システムとで発振子を共有する複数の無線システムを搭載した無線機のＡＦＣ制御プログラムであって、
コンピュータに、メイン無線システムにおける受信ＩＱ信号の位相回転量に基づいてＡＦＣ制御用の制御量を算出する算出機能と、算出した制御量により前記発振子により発振した基準周波数に対するＡＦＣ制御を行う制御機能とを実現させることを特徴とするＡＦＣ制御プログラム。
【請求項１６】
前記無線機は、前記受信ＩＱ信号の位相を回転する位相回転部と、前記位相回転部の出力を復調する復調部とを備え、前記算出機能は、前記位相回転部の位相回転量と前記復調部の出力により、正常受信時の前記位相回転部の位相回転量に基づいて前記制御量を算出する機能を有すること特徴とする請求項１５記載のＡＦＣ制御プログラム。
【請求項１７】
前記算出機能は、前記位相回転部を制御し、順次増加又は減少する離散的な位相回転を前記受信ＩＱ信号に与えて前記制御量を算出する機能を有することを特徴とする請求項１６記載のＡＦＣ制御プログラム。
【請求項１８】
前記制御機能は、前記制御量によるＡＦＣ制御時に何れかのサブ無線システムの通信に悪影響を与える場合に、前記制御量未満の単位で複数回に分割してＡＦＣ制御を行う機能を有することを特徴とする請求項１５、１６又は１７記載のＡＦＣ制御プログラム。
【請求項１９】
前記制御機能は、前記制御量によるＡＦＣ制御時に何れかのサブ無線システムの通信に悪影響を与える場合に、当該サブ無線システムを停止後にＡＦＣ制御を行う機能を有することを特徴とする請求項１５、１６又は１７記載のＡＦＣ制御プログラム。
【請求項２０】
前記コンピュータに、前記制御量によるＡＦＣ制御後にサブ無線システムを再起動して通信を継続させる機能を実現させることを特徴とする請求項１９記載のＡＦＣ制御プログラム。
【請求項２１】
前記コンピュータに、前記制御量によるＡＦＣ制御後に基準周波数の誤差を測定してメイン無線システムで行う基準周波数の負帰還制御に切り替える機能を実現させることを特徴とする請求項１５ないし２０の何れかの請求項記載のＡＦＣ制御プログラム。
【発明の詳細な説明】
【技術分野】
【０００１】
本発明は発振子を共用する複数無線システムを搭載した無線機に関し、具体的にはＴＣＸＯ等を共用する複数無線システムを搭載した携帯電話機等の無線機のＡＦＣ制御に関する。
【背景技術】
【０００２】
従来、携帯電話機には携帯電話用の無線システムのみならず、他の無線システムが搭載され、携帯電話用の無線システムのクロック信号を出力する発信器を他の無線システムと共用するように構成したものが知られている（特許文献１参照）。
【０００３】
また、近年では携帯電話機の高機能化に伴いＷ−ＣＤＭＡ／ＧＳＭ／ＰＤＣ等の無線システムに加えて、ＷＬＡＮ／Ｂｌｕｅｔｏｏｔｈ／ＧＰＳなどの無線システムが複合的に使用されるように搭載されることも多くなっている。
【特許文献１】特開２００３−２０９４８０号公報
【発明の開示】
【発明が解決しようとする課題】
【０００４】
複数の無線システムを搭載する携帯電話機では、各システム用ＬＳＩに個別に基準周波数供給用のＴＣＸＯなどの発振子を搭載する場合、各システム個別にＡＦＣ制御を行うことが可能であるが、コストダウンや小型化のための部品点数の削減のために、複数の無線システムで１つの発振子を共有するように構成した場合は、ある無線システムでＡＦＣ制御を行うと他の無線システムに対し影響を与え、他の無線システムで通信断などの障害が発生することが考えられる。
【０００５】
例えば、ＷＬＡＮ／Ｂｌｕｅｔｏｏｔｈ／ＧＰＳ等の無線システムは携帯電話用の無線システムと同様に基地局、衛星等の通信相手に基準周波数を合わせる必要があるが、携帯電話用の無線システムと発振子を共用して同時使用している場合、携帯電話用の無線システムが勝手にＡＦＣ制御により基準周波数を変更すると他の無線システムの基準周波数も影響を受け、他の無線システムの通信に影響を与えることになる。
【０００６】
従って、発振子を共用する複数の無線システムの何れかの無線システムでＡＦＣ制御を行う場合、他の無線システムへの悪影響を極力与えない方法でＡＦＣ制御を行うように構成する必要がある。
【０００７】
（目的）
本発明の目的は、以上の問題を解決するものであり、発振子を共用する複数の無線システムが搭載された携帯電話機等の無線機に関し、何れかの無線システムによる基準周波数のずれの検出に対する他の無線システムへの影響を軽減することにある。  
本発明の他の目的は、発振子を共用する複数の無線システムが搭載された携帯電話機等の無線機に関し、何れかの無線システムによる基準周波数のずれの検出や、ＡＦＣ制御に対する他の無線システムへの影響を軽減することにある。
【課題を解決するための手段】
【０００８】
本発明は、メイン無線システムのＡＦＣ制御をサブ無線システムに影響を与えない、あるいはＡＦＣ制御による基準周波数変更をサブ無線システムに通知し制御することでサブ無線システムの通信への影響を軽減するものである。つまり、
本発明のＡＦＣ制御は、少なくともメイン無線システムとサブ無線システムとで発振子を共有する複数の無線システムを搭載した無線機におけるＡＦＣ制御方法であって、前記発振子により発振した基準周波数に対するＡＦＣ制御時の制御量を、メイン無線システムにおける受信ＩＱ信号の位相回転量に基づいて算出することを特徴とし、前記制御量を算出は、前記受信ＩＱ信号を位相回転手段を介して復調し、復調出力の正常受信時の前記位相回転手段の位相回転量に基づいて行うものであり、具体的には、前記位相回転手段により順次増加又は減少する離散的な位相回転を前記受信ＩＱ信号に与えて前記制御量を算出することを特徴とする。
【０００９】
また、前記制御量によるＡＦＣ制御時に、何れかのサブ無線システムの通信に悪影響を与える場合に、前記制御量未満の単位で複数回に分割してＡＦＣ制御を行うこと、又は、前記制御量によるＡＦＣ制御時に、何れかのサブ無線システムの通信に悪影響を与える場合に、当該サブ無線システムの停止後にＡＦＣ制御を行うことを特徴とする。
【００１０】
具体的には、本発明のＡＦＣ制御は、ＴＣＸＯを共有する複数の無線システムを搭載する無線機に関し、ＴＣＸＯの初期値設定のＡＦＣ制御はメイン無線システムで行い、前記ＡＦＣ制御の制御量を算出する際に、メイン無線システムの受信ＩＱ信号を位相回転した信号の復調結果を判定することで算出し、算出した制御量によりＴＣＸＯの基準周波数を制御する。また、前記制御量がサブ無線システムに与える影響を判断し、サブ無線システムに影響が出る量である場合、前記制御量をサブ無線システムに影響の出ない単位で複数回に分割して制御を行う機能、又は当該サブ無線システムのみを停止後にＡＦＣ制御を行い、基準周波数設定後にサブ無線システムを再開し、通信を継続する機能を有する。
【発明の効果】
【００１１】
本発明によれば、基準周波数の制御量の算出時に、メイン無線システムで発振子の発振周波数を変化させて基準周波数を変更して行う代わりにベースバンド信号に対する位相回転制御により検出するように構成しているから、発振子による発振周波数を変化させることがないので、サブ無線システムの通信に全く影響を与えることがない。
【００１２】
また、メイン無線システムでの基準周波数の大きな変更時に、サブ無線システムに影響しない小さい単位に複数回に分割して変更するＡＦＣ制御を行うので、サブ無線システムへの影響を極力抑えることが可能である。
【００１３】
更に、メイン無線システムでの基準周波数の大きな変更時に、各サブ無線システムの基準周波数の変動許容量を考慮し、周波数制御量による変更に追従できないサブ無線システムのみの動作を停止させて行うように構成することにより、変動許容量の小さいサブ無線システムへの影響を回避することが可能であるとともに、変動許容量が大きいサブ無線システムの通信の断絶を防止することができる。
【発明を実施するための最良の形態】
【００１４】
本発明の発振子を共用する複数無線システムの無線機のＡＦＣ制御について、発明過程で検討した構成例と、本発明を携帯電話機等へ適用した実施の形態により以下説明する。
【００１５】
図１は本発明の発明過程における無線機の構成例を示す図である。基地局（図示しない）との間で無線通信を行う無線システム（「メイン無線システム」という。）を有する無線部１、それぞれに無線システム（サブ無線システム」という。）を有するＧＰＳ装置、ＷＬＡＮ（WirelessＬＡＮ）及びＢｌｕｅＴｏｏｔｈ等の無線機器６、両無線システムに基準周波数の信号を供給する電圧制御型発信器２、無線部１の出力を入力しベースバンド信号を復調出力するベースバンド処理部３、前記ベースバンド処理部３が出力する周波数誤差信号により前記電圧制御型発信器２のＡＦＣ動作を行うＡＦＣ制御部４と、前記ベースバンド処理部３とＡＦＣ制御部４に接続され、前記電圧制御型発信器２の発振周波数のずれを検出し、前記電圧制御型発信器２の発振周波数を制御する制御部（ＣＰＵ：中央処理装置）５とから構成されている。
【００１６】
ここで、電圧制御型発信器２は携帯電話機の基準周波数の信号を発振するための水晶振動子等の発振子を使用した温度補償型水晶発信器（Temperature Compensated Crystal Oscillator：「ＴＣＸＯ」という。）として構成される。無線部１は、ＴＣＸＯ２から出力される基準周波数を用いて、無線部１内のＰＬＬ（図示なし）により局部発振周波数を生成して、基地局からの伝送波をベースバンド信号に変換し、ベースバンド処理部３に送る。ベースバンド処理部３は、無線部１から送られるベースバンド信号を復調部３１でデジタル処理、復調してＣＰＵ５に送出し、無線機はベースバンドデータによる基地局との通信が可能となる。
【００１７】
また、ベースバンド処理部３には基地局の伝送波を元にＴＣＸＯ２の基準周波数の誤差を測定する周波数誤差測定部３２を有し、誤差をＡＦＣ制御部４へ送出する。ＡＦＣ制御部４は、ＴＣＸＯ２が生成する基準周波数と基地局の基準周波数を一致させるために、周波数誤差測定部３２から得られた周波数誤差情報を元に制御量算出部４１でデジタルのＡＦＣ制御量を算出し、Ｄ／Ａ（Digital To Analog Converter）変換部４２を介してアナログの制御量（制御電圧）としてＴＣＸＯ２に送出し基準周波数の制御を行う。
【００１８】
次に、この無線機１において何らかの原因でＴＣＸＯ２の基準周波数が大きくずれたとすると、メイン無線システムで伝送波が正しく受信できなり、復調部３１から正常にベースバンドデータが出力されなくなる。
【００１９】
ＣＰＵ５は復調部３１のベースバンド出力ａによりこの受信の異常状態を検出すると、まずＴＣＸＯ２の発振周波数のずれ量を検出するために、ＡＦＣ制御部４のＤ／Ａ変換部４２に基準周波数を変更する所定の制御量ｂを出力し、Ｄ／Ａ変換部４２から制御電圧をＴＣＸＯ２に供給し、基準周波数の周波数変化を与えるとともに、復調部３１のベースバンド出力ａを監視し、メイン無線システムの伝送波が正しく受信できる基準周波数を探索する。
【００２０】
この制御によりＣＰＵ５で再び正常なベースバンド出力ａが受信されると、そのときの制御量ｂが前記ずれ量に対応するから、この制御量ｂを周波数制御の初期値としてＴＣＸＯ２に設定し、その後、ＣＰＵ５は周波数誤差測定部３２及び制御量算出部４１を介する微細なＦＡＣ動作の調整に入るように構成することができる。
【００２１】
ところが、この構成では発振周波数のずれ量の検出時及び発振周波数の再設定時に、ＴＣＸＯ２が出力する信号の基準周波数が大きく変更することになり、通信状態の無線機器６のサブ無線システムが正常に通信できなくなる。
【００２２】
本発明はメイン無線システムのＡＦＣ制御をサブ無線システムに影響を与えない、あるいはＡＦＣ制御による基準周波数変更をサブ無線システムに通知し制御することでサブ無線システムの通信への影響を軽減するものである。
【００２３】
（実施の形態１）
図２は、本発明の一実施の形態１の発振子を共用した複数無線システムを搭載した携帯電話機等の無線機の一構成例を示す図である。  
（構成の説明）
本実施の形態１は、基地局（図示しない）との間で無線通信を行うメイン無線システムを有する無線部１、それぞれにサブ無線システムを有するＧＰＳ装置、ＷＬＡＮ（WirelessＬＡＮ）及びＢｌｕｅＴｏｏｔｈ等の無線機器６、メイン及びサブ無線システムに基準周波数の信号を発振して供給するＴＣＸＯ（Temperature Compensated Crystal Oscillator）２、無線部１の出力を入力しベースバンド信号を復調出力するベースバンド処理部７、前記ベースバンド処理部７が出力する周波数誤差信号により前記ＴＣＸＯ２の発振周波数のＡＦＣ動作を行うＡＦＣ制御部８、前記ベースバンド処理部７とＡＦＣ制御部８に接続され、前記ＴＣＸＯ２の発振周波数のずれを検出し、前記ＴＣＸＯ２の発振周波数をＡＦＣ制御を行う制御部（ＣＰＵ）９から構成されている。
【００２４】
本実施の形態の無線部１は、例えばＴＣＸＯ２の出力を入力とするＰＬＬ（図示しない）で構成されたシンセサイザーを構成し、ＰＬＬ内の電圧制御発振器の発振周波数がＴＣＸＯ２の出力を基準周波数として、これに位相同期する直交位相関係の局部発振周波数の信号を生成し、受信信号（受信周波数）との同期検波等により、それぞれＩ成分及びＱ成分（「受信ＩＱ信号」という。）の信号を出力するように構成することができる。
【００２５】
また、ベースバンド処理部７は、無線部１からの受信ＩＱ信号を受信し、受信ＩＱ信号の位相をＣＰＵ９からの位相回転の制御信号Ｂに応じて回転させる位相回転部７１と、前記位相回転部７１の出力を入力しベースバンド信号ＡをＣＰＵ９に出力する復調部７２と、基準周波数の周波数誤差信号を出力する周波数誤差測定部７３とを備える。
【００２６】
更に、ＡＦＣ制御部８は、周波数誤差測定部７３から出力された周波数誤差信号に基づいて前記ＴＣＸＯ２を微細なＡＦＣ動作を行う制御量を算出する制御量算出部８１と、制御量算出部８１の出力を入力するとともに、メイン無線システムの局部発振周波数の大きな位相ずれに対しこれを修正するためにＣＰＵ９から出力され、前記ＴＣＸＯ２の発振周波数を再設定する制御量Ｃを入力し、何れかをアナログ信号（制御電圧）に変換して出力するＤ／Ａ変換部８２とを備える。
【００２７】
ＣＰＵ９はベースバンド処理部７及びＡＦＣ制御部８に接続され、以下の切り替え及び制御機能により各部を制御する。  
まず、周波数誤差測定部７３、制御量算出部８１及びＤ／Ａ変換部８２により、周波数誤差測定部７３の出力を制御量算出部８１及びＤ／Ａ変換部８２を介してＴＣＸＯ２の発振周波数を微調整する負帰還制御によるＡＦＣ動作を行う機能、位相回転部７１及び復調部７２によりＴＣＸＯ２の発振周波数のずれ量を検出する機能、又は、Ｄ／Ａ変換部８２を介してＴＣＸＯ２の周波数ずれを修正する機能の何れかの状態へ切り換える機能を有する。
【００２８】
また、復調部７２の出力Ａを入力し、その同期ワード又はＣＲＣチェックにより受信動作を常時監視して、復調されたベースバンドの正常性を判定する機能、この判定機能により受信状態に異常が検出された場合に、位相同期部７１に所定シーケンスの制御信号Ｂを位相回転部７１に出力し、受信ＩＱ信号に対して位相回転を与えるとともに、前記判定機能により正常な受信状態に戻ったか否かを判断する機能、この機能により受信状態が正常状態に戻った場合の制御信号Ｂに基づいてＴＣＸＯ２の発振周波数のずれ量に対応する制御量Ｃを算出する算出機能、当該ずれ量に応じた制御量ＣをＤ／Ａ変換部８２に出力してＴＣＸＯ２の周波数ずれを修正するため設定変更を行う制御機能と、を有する。
【００２９】
更に、本実施の形態１では、ＡＦＣ制御を行う際に算出した制御量がサブ無線システムに与える影響を判断し、この制御量がサブ無線システムに影響する場合に、サブ無線システムへの影響しない程度の当該制御量未満の単位に分割し、所定時間（Ｔ）の間隔で複数回制御し、最終的に前記制御量のＡＦＣ制御を実現する機能を有する。
【００３０】
このため、ＣＰＵ９は、図示しないＲＯＭ、ＲＡＭ等の記憶部をも備えるコンピュータとして構成され、前記記憶部には本実施の形態の機能を実現する処理プログラムを格納し、ＣＰＵ９は前記記憶部の処理プログラムを読み込み、読み込まれた処理プログラムにより制御され、ベースバンド処理部７及びＡＦＣ制御部８の各部の機能を切り換え制御するとともに、復調部７２の出力Ａを入力し、制御信号Ｂ、制御量Ｃを出力してベースバンド処理部７及びＡＦＣ制御部８を制御する、上記処理機能及び以下の機能を実現する。
【００３１】
（動作の説明）
最初に、ＣＰＵ９の制御により、周波数誤差測定部７３、制御量算出部８１及びＤ／Ａ変換部８２を動作させることにより、周波数誤差測定部７３の出力を制御量算出部８１及びＤ／Ａ変換部８２を介してＴＣＸＯ２の発振周波数を微調整するメイン無線システムで基準周波数の負帰還制御を行うＡＦＣ動作について説明する。
【００３２】
ＴＣＸＯ２の発振する基準周波数は、ＡＦＣ制御部８の制御量算出部８１で算出されたＡＦＣ制御量をＤ／Ａ変換器８２でアナログ信号に変換した制御信号（制御電圧）により決定される。無線部１は、ＴＣＸＯ２から出力される基準周波数を用いて、無線部１内のＰＬＬにより局部発振周波数等を生成して、基地局からの伝送波をベースバンド信号に変換し、ベースバンド処理部７に送る。ベースバンド処理部７では基地局の伝送波を元に基準周波数の誤差を測定する周波数誤差測定部７３で基準周波数の周波数誤差を測定し、周波数誤差情報をＡＦＣ制御部８へ送出する。ＡＦＣ制御部８は、ベースバンド処理部７から得られた周波数誤差情報を元に制御量算出部８１でＡＦＣ制御量を算出し、Ｄ／Ａ変換部を介してアナログの制御量をＴＣＸＯ２に送出して基準周波数のＡＦＣ動作を行う。
【００３３】
次に、ＣＰＵ９の制御により、位相回転部７１及び復調部７２によりＴＣＸＯ２の発振周波数のずれ量を検出し、Ｄ／Ａ変換部８２を介してＴＣＸＯ２の発振周波数ずれを修正するＡＦＣ制御動作を説明する。
【００３４】
無線部１で基地局の伝送波に対し基準周波数の周波数誤差が無ければ、出力されるベースバンド信号は位相が一定の受信ＩＱ信号となるが、前記周波数誤差が生じると、その周波数差に対応して受信ＩＱ信号の位相が変化し、前記周波数誤差の極性に応じた正又は負の位相回転が生じることになる。この場合、復調部７２では正常なベースバンドデータを復調できなくなり出力Ａの同期ワードの検出が不可能となり、また、符号誤り率等が劣化する。
【００３５】
ＣＰＵ９は、復調部７２の出力の同期ワードの検出又は符号誤り率等の正常性により、又は、所定のタイミングにおいて発振周波数ずれを修正する動作を開始し、位相回転部７１に対し制御信号Ｂを出力し受信ＩＱ信号に対する位相回転を与えるとともに、復調部７２の出力Ａの正常性を判定し、基準周波数のずれによる受信ＩＱ信号の位相回転を相殺する位相回転が生じ、正常な受信状態が検出された場合に、その制御信号Ｂに基づいて制御量Ｃを算出し、制御量ＣをＤ／Ａ変換部８２を介してＴＣＸＯ２に送出して基準周波数を修正する。
【００３６】
図３は本実施の形態の発振周波数のずれ量を検出し、修正するための制御量を算出する動作の処理フローチャートを示す図であり、図４は位相回転部の位相回転動作を示す図である。
【００３７】
図３に示す処理は、位相回転部７１において、順次増加又は減少する位相回転を前記受信ＩＱ信号に与えて制御量を算出する手順を示しており、例えば図４に示す±２ｐｐｍ、±４ｐｐｍ等に相当する受信ＩＱ信号の離散的な位相回転を順次行い、メイン無線システムの伝送波を正しく受信できる位相回転量から基準周波数のずれ量及びその制御量を算出する。
【００３８】
ＣＰＵ９は、復調部７２の出力の異常時又は所定のタイミング等において、位相回転部７１を制御する位相回転処理を開始し（ステップＳ１１）、初期位相の回転量として、例えば図４のＡＦＣ制御初期位相を設定する（ステップＳ１２）。初期位相は携帯電話機に搭載されるＴＣＸＯ２の経年変化等を考慮して設定することができる。初期位相の設定後（ステップＳ１２）、メイン無線システムの伝送波を受信し（ステップＳ１３）、復調部７２の出力により正常に受信できたか否かを判定する（ステップＳ１４）。受信が正常にできた場合には位相回転量から周波数ずれを算出（ステップＳ１６）し、ＴＣＸＯ２のＡＦＣ制御量（Δｆ）を算出し（ステップＳ１７）、位相回転処理を終了する（ステップＳ１８）。
【００３９】
ステップＳ１４の受信状態の判定処理において、正常に受信できていないと判定された場合、新たな位相回転量として、例えば図４の＋２．０ｐｐｍを設定し（ステップＳ１５）、再度受信処理を行う（ステップＳ１３）。受信が正常にされるまで、位相回転量について、例えば図４の−２．０ｐｐｍ、＋４．０ｐｐｍ、−４．０ｐｐｍ、…と設定変更を繰り返し（ステップＳ１３〜Ｓ１５）、ＡＦＣ制御量（Δｆ）が算出できたら、位相回転処理を終了する（ステップＳ１８）。
【００４０】
以上の処理により図１に示す構成例と異なり、制御量の算出にＴＣＸＯ２の発振周波数を変化させることがないので、サブ無線システムの通信には全く影響を与えない。
【００４１】
しかし、算出された制御量による基準周波数の修正の設定時にはＴＣＸＯ２の発振周波数が変化するので、以下、サブ無線システムの動作への影響を極力与えないようにするＡＦＣ制御動作について説明する。
【００４２】
図５は本実施の形態１のＴＣＸＯ２の周波数ずれの修正処理フローチャートを示す図である。サブ無線システムの動作への影響を考慮し、制御量Ｃによる周波数制御を徐々に段階的に行うように構成している。
【００４３】
図３に示す処理フローチャートによりＣＰＵ９によりＡＦＣ制御量（Δｆ）が算出されると（ステップＳ１７）、図５に示すＡＦＣ制御が開始される（ステップＳ２１）。まず、ＢｌｕｅＴｏｏｔｈ、ＷＬＡＮ、ＧＰＳの無線機器６の各サブ無線システムで許容される基準周波数の変動量の最大量をそれぞれΔｆ１、Δｆ２、Δｆ３とし、ΔＦｍｉｎ＝ＭＩＮ Ａｃｔｉｖｅ（Δｆ１、Δｆ２、Δｆ３）関数により、通信が行われているサブ無線システムの中で最小の基準周波数が許容される変動量（変動許容最小量）Δｆｍｉｎを求める（ステップＳ２２）。
【００４４】
求めた基準周波数の変動許容最小量ΔｆｍｉｎとＡＦＣ制御量Δｆとを比較し、ＡＦＣ制御量Δｆが変動許容最小量Δｆｍｉｎ以下か否かを判定し（ステップＳ２３）、ΔｆがΔｆｍｉｎ以下の場合は制御量をΔｆとしてＡＦＣ制御を行い（ステップＳ２４）、ＡＦＣ制御を終了する（ステップＳ２５）。
【００４５】
ステップＳ２３において、ΔｆがΔｆｍｉｎより大きい場合はΔｆ≦Δｆｍｉｎ×ｎとなる最大の“ｎ”を求め（ステップＳ２６）、ＡＦＣ制御量をΔｆｍｉｎ／ｎとしてＡＦＣ制御を行い（ステップＳ２７）、Δｆｍｉｎ／ｎの制御量でｎ回のＡＦＣ制御を行ったか否かを判定し（ステップＳ２８）、ｎ回実行した場合にはＡＦＣ制御を終了し（ステップＳ２５）、ｎ回未満の場合には一定のインターバル時間（Ｔ）をあけて、ｎ回実行するまでΔｆ／ｎの制御量でＡＦＣ制御を繰り返す（ステップＳ２７〜Ｓ２９）。
【００４６】
本実施の形態１によれば、周波数ずれの検出は、基準周波数を変更して行う代わりにベースバンド信号に対する位相回転制御により行うから、サブ無線システムへの影響を抑えることが可能であり、更に、基準周波数の大きな変更時にサブ無線システムに影響しない小さい単位で変更するＡＦＣ制御を行うので、サブ無線システムへの影響をも抑えることが可能となる。
【００４７】
（実施の形態２）
図６は本発明の他の実施の形態２を示す図である。各サブ無線システムは供給される基準周波数の変動許容量を有し、また、基準周波数のずれに対し、初期値の設定変更が可能な場合の構成例である。
【００４８】
基本的に図２に示す実施の形態１の構成及び機能と同様であるが、本実施の形態２では、更にＣＰＵ９における処理機能として、基準周波数の設定変更に当たり、ＡＦＣ制御を行う際に算出したＡＦＣ制御の制御量がサブ無線システムに与える影響を判断し、この制御量がサブ無線システムに影響する場合に、各サブ無線システムについて、ＡＦＣ制御量Δｆとそれぞれの変動許容量（Δｆ１、ｆ２、Ｆ３、…Δｆｍ）とを比較、判断する機能と、ＡＦＣ制御量Δｆよりそれぞれの変動許容量が小さい場合に制御信号Ｄにより当該サブ無線システムを停止させる機能と、基準周波数変動量を設定した後に、停止したサブ無線システムの通信を再開させる機能と、を備える。停止させなかったサブ無線システムはＡＦＣ制御量Δｆによる周波数変更に追従可能であり、通信の断絶を起こすことはない。
【００４９】
（動作の説明）
図７は本実施の形態２の処理フローチャートを示す図である。以下、本実施の形態２の動作を説明する。  
図３に示す処理フローチャートによりＡＦＣ制御量Δｆが算出されると（ステップＳ１７）、本実施の形態のＡＦＣ制御が開始される（ステップＳ３１）。
【００５０】
ＡＦＣ制御量Δｆがサブ無線システム１の変動許容量Δｆ１以下か否かを判定し（ステップＳ３２）、変動許容量より大きい場合はサブ無線システム１の通信処理を停止し（ステップＳ３９）、ステップＳ３２で変動許容量Δｆ１以下の場合は、次の処理ステップに移行する。
【００５１】
ＡＦＣ制御量Δｆがサブ無線システム２の変動許容量Δｆ２以下か否かを判定し（ステップＳ３３）、変動許容量より大きい場合はサブ無線システム２の通信処理を停止し（ステップＳ４０）、ステップＳ３３で変動許容量Δｆ２以下の場合は、次の処理ステップに移行する。
【００５２】
後続のサブ無線システムにも同様の処理を繰り返し、ＡＦＣ制御量Δｆが最後のサブ無線システムｍの変動許容量Δｆｍ以下か否かを判定し（ステップＳ３４）、変動許容量より大きい場合はサブ無線システムｍの通信処理を停止し（ステップＳ４１）、ステップＳ３４で変動許容量Δｆｍ以下の場合は、次の処理ステップに移行する。
【００５３】
ＡＦＣ制御量Δｆがそれぞれの変動許容量（Δｆ１、ｆ２、Ｆ３…Δｆｍ）を超えるサブ無線システムの停止処理を完了後、ＡＦＣ制御量をΔｆとしてＡＦＣ制御を行う（ステップＳ３５）。次に、ＣＰＵ９は停止したサブ無線システムに基準周波数変動量を設定し（ステップＳ３６）、停止したサブ無線システムの通信を再開し（ステップＳ３７）、ＡＦＣ制御を終了する（ステップＳ３８）。
【００５４】
以上の処理動作により、基準周波数の変更に対し、変動許容量が大きいサブ無線システムの通信断絶を防ぎ、変動許容量の小さいサブ無線システムも再起動によりＡＦＣ制御を行うことが可能となる。
【００５５】
（他の実施の形態）
以上の実施の形態では、電圧制御型発信器に水晶振動子を使用した例で説明したが、本発明は水晶振動子に限られるものではなく、セラミック振動子等、発振子を使用することで構成することが可能である。
【００５６】
また、本実施の形態２では変動許容量に応じて選択的にサブ無線システムの停止処理を行っているが、ＡＦＣ制御時には常にサブ無線システムの停止処理を行うように構成することが可能である。
【００５７】
更に、携帯電話機の無線システムをメイン無線システムとし、ＧＰＳ装置、ＷＬＡＮ及びＢｌｕｅＴｏｏｔｈ等をサブ無線システムとした例で説明したが、ＧＰＳ装置、ＷＬＡＮ及びＢｌｕｅＴｏｏｔｈ等の何れかを本発明のメイン無線システムとし、その他をサブ無線システムとすることが可能であり、また、無線機に搭載した複数の無線システムとしては、少なくともメイン無線システムとサブ無線システムとで発振子を共有する複数の無線システムであれば本発明が適用可能であることは明らかである。
【図面の簡単な説明】
【００５８】
【図１】本発明の発明過程における無線機の構成例を示す図である。本発明の発明過程における無線機の構成例を示す図である。
【図２】本発明の一実施の形態１の発振子を共用した複数無線システムを搭載した携帯電話機等の無線機の一構成例を示す図である。
【図３】本実施の形態の発振周波数のずれ量を検出し、修正するための制御量を算出する動作の処理フローチャートを示す図である。
【図４】位相回転部の位相回転動作を示す図である。
【図５】本実施の形態１のＴＣＸＯ２の周波数ずれの修正処理フローチャートを示す図である。
【図６】本発明の他の実施の形態２を示す図である。
【図７】本実施の形態２の処理フローチャートを示す図である。
【符号の説明】
【００５９】
１  無線機
２  電圧制御型発信器（ＴＣＸＯ）
３、７  ベースバンド処理部
４、８  ＡＦＣ制御部
５、９  制御部（ＣＰＵ）
６  無線機器
３１、７２  復調部
３２、７３  周波数誤差測定部
４１、８１  制御量算出部
４２、８２  Ｄ／Ａ変換部
７１  位相回転部
【図１】
2008131480.tif 000003
【図２】
2008131480.tif 000004
【図３】
2008131480.tif 000005
【図４】
2008131480.tif 000006
【図５】
2008131480.tif 000007
【図６】
2008131480.tif 000008
【図７】
2008131480.tif 000009